(57)【特許請求の範囲】
【請求項１】
床下地の上に載置された状態で、相互に実接合される、少なくとも、雄実の上面が化粧面と同系色に着色された複数の床仕上材によって覆われる温水式床暖房フロア用の温水パイプユニットであって、
所定のパイプパターンに整形された温水パイプと、
前記温水パイプが固着される基材シートと
を備え、
前記温水パイプにおける前記床仕上材の実接合部分のみが、前記床仕上材の化粧面と同系色に着色されており、
前記基材シートには、前記温水パイプ部分を避けるように、多数の透孔が形成されていることを特徴とする温水式床暖房フロア用の温水パイプユニット。
【請求項２】
床下地の上に載置された状態で、相互に実接合される、少なくとも、雄実の上面が化粧面と同系色に着色された複数の床仕上材によって覆われる温水式床暖房フロア用の温水パイプユニットであって、
所定のパイプパターンに整形された温水パイプと、
前記温水パイプを収容するパイプ収容部を有する上部カバーシートと、
前記パイプ収容部に前記温水パイプを収容した状態で前記パイプ収容部を閉塞するように、前記上部カバーシートの裏面に貼着される基材シートと
を備え、
前記上部カバーシートにおける前記床仕上材の実接合部分のみが、前記床仕上材の化粧面と同系色に着色されており、
前記基材シートには、前記温水パイプ部分を避けるように、多数の透孔が形成されており、
前記上部カバーシートには、前記基材シートに形成された前記透孔に対応する位置に同径の透孔が形成されていることを特徴とする温水式床暖房フロア用の温水パイプユニット。
【発明の詳細な説明】
【０００１】
【発明の属する技術分野】
この発明は、温水式床暖房フロアを施工する際に使用される温水式床暖房フロア用の床仕上材及び温水パイプユニットに関する。
【０００２】
【従来の技術】
本件出願人は、特願２００１−１３５８１４号において、施工性に優れた温水式床暖房フロアを提案している。この温水式床暖房フロアは、図１７（ａ）、（ｂ）に示すように、床下地５６の上に載置される温水パイプユニット５１と、床下地５６の上に載置された温水パイプユニット５１を覆うように、相互に実接合された状態で床下地５６の上に敷設される複数の床仕上材５４とから構成されており、温水パイプユニット５１は、同図（ｂ）に示すように、所定のパイプパターンに整形された温水パイプ５２が基材シート５３の上面に固着されていると共に、床仕上材５４には、その裏面に温水パイプユニット５１の温水パイプ５２を収容するためのパイプ収容溝５５が形成されている。
【０００３】
以上のように構成された温水式床暖房フロア５０は、床暖房エリアを覆うように、温水パイプユニット５１を床下地５６の上に載置した状態で、その温水パイプユニット５１の温水パイプ５２をパイプ収容溝５５に収容しながら、床仕上材５４を順次敷設していけばよいので、効率よく施工することができる。
【０００４】
【発明が解決しようとする課題】
ところで、上述したような温水式床暖房フロア５０では、温水パイプユニット５１を覆っている床仕上材５４が温水パイプユニット５１によって加熱されるので、通常のフロアに使用される床仕上材に比べて含水率が低下しやすく、それに伴って床仕上材５４全体の収縮量も大きくなる。このため、施工時点では、床仕上材５４間に隙間が形成されていなくても、施工後に床暖房運転を開始すると、図１８に示すように、床仕上材５４間の実接合部分に０．３ｍｍ程度の隙間Ｓが形成され、その隙間Ｓ部分に、床仕上材５４の化粧面と色彩の異なる雄実５４ａの一部が露出することになり、温水式床暖房フロア５０の外観が損なわれるといった問題がある。
【０００５】
従って、こういった温水式床暖房フロア５０を施工する際は、施工後に、床仕上材５４間の実接合部分に隙間Ｓが形成された場合であっても、その隙間Ｓ部分に露出する雄実５４ａが目立たないように、少なくとも、雄実５４ａの上面部分が予め化粧面と同系色に着色された床仕上材５４を使用するようになっている。
【０００６】
しかしながら、上述したような温水パイプユニット５１を構成している温水パイプ５２の色彩は、通常、乳白色であり、しかも、床仕上材５４は、図１９に示すように、通常、そのパイプ収容溝５５の上端より低い位置に雄実５４ａ及び雌実が形成されているので、雄実５４ａ部分を横断するように、床仕上材５４にパイプ収容溝５５が形成されると、そのパイプ収容溝５５が形成されている部分は、雄実５４ａが完全に切除されてしまうことになる。
【０００７】
従って、上述したように、雄実５４ａの上面部分が予め化粧面と同系色に着色された床仕上材５４を使用して温水式床暖房フロア５０を施工した場合であっても、温水式床暖房フロア５０の施工後に、温水パイプ５２が横断している床仕上材５４間の実接合部分に隙間Ｓが形成されると、図２０に示すように、その隙間Ｓ部分に乳白色の温水パイプ５２が部分的に露出することになり、温水式床暖房フロア５０の外観が大きく損なわれるといった問題がある。
【０００８】
そこで、この発明の課題は、温水式床暖房フロアの施工後に、温水パイプが横断している床仕上材間の実接合部分に隙間が形成された場合でも、温水式床暖房フロアの外観が大きく損なわれることがない、温水式床暖房フロア用の温水パイプユニットを提供することにある。
【０００９】
【課題を解決するための手段及びその効果】
上記の課題を解決するため、請求項１にかかる発明は、床下地の上に載置された状態で、相互に実接合される、少なくとも、雄実の上面が化粧面と同系色に着色された複数の床仕上材によって覆われる温水式床暖房フロア用の温水パイプユニットであって、所定のパイプパターンに整形された温水パイプと、前記温水パイプが固着される基材シートとを備え、前記温水パイプにおける前記床仕上材の実接合部分のみが、前記床仕上材の化粧面と同系色に着色されており、前記基材シートには、前記温水パイプ部分を避けるように、多数の透孔が形成されていることを特徴とする温水式床暖房フロア用の温水パイプユニットを提供するものである。
【００１０】
以上のように構成された温水パイプユニットを用いて温水式床暖房フロアを施工すると、その後に、温水パイプが横断している床仕上材間の実接合部分に隙間が形成された場合でも、その隙間部分には、床仕上材の化粧面と同系色に着色された温水パイプと、床仕上材の化粧面と同系色に着色された雄実の上面とが露出することになるので、床仕上材間の隙間が目立ちにくく、温水式床暖房フロアの外観が大きく損なわれることがない。
【００１１】
また、床仕上材を敷設する際は、パイプ収容溝部分を除いて、その裏面に接着剤が塗布されているので、この接着剤によって、床仕上材と基材シートとが相互に接着固定されると共に、基材シートの透孔部分で、床仕上材と床下地とが同時に接着固定されるという効果が得られる。
【００１２】
特に、この温水パイプユニットでは、温水パイプにおける床仕上材の実接合部分のみが、床仕上材の化粧面と同系色に着色されているので、その温水パイプの着色部分を目印にして床仕上材を敷設していけばよく、床仕上材の敷設作業性が向上するという効果が得られる。
【００１３】
また、上記の課題を解決するため、請求項２にかかる発明は、床下地の上に載置された状態で、相互に実接合される、少なくとも、雄実の上面が化粧面と同系色に着色された複数の床仕上材によって覆われる温水式床暖房フロア用の温水パイプユニットであって、所定のパイプパターンに整形された温水パイプと、前記温水パイプを収容するパイプ収容部を有する上部カバーシートと、前記パイプ収容部に前記温水パイプを収容した状態で前記パイプ収容部を閉塞するように、前記上部カバーシートの裏面に貼着される基材シートとを備え、前記上部カバーシートにおける前記床仕上材の実接合部分のみが、前記床仕上材の化粧面と同系色に着色されており、前記基材シートには、前記温水パイプ部分を避けるように、多数の透孔が形成されており、前記上部カバーシートには、前記基材シートに形成された前記透孔に対応する位置に同径の透孔が形成されていることを特徴とする温水式床暖房フロア用の温水パイプユニットを提供するものである。
【００１４】
以上のように構成された温水パイプユニットを用いて温水式床暖房フロアを施工すると、その後に、温水パイプが横断している床仕上材間の実接合部分に隙間が形成された場合でも、その隙間部分には、床仕上材の化粧面と同系色に着色された上部カバーシートと、床仕上材の化粧面と同系色に着色された雄実の上面とが露出することになるので、床仕上材間の隙間が目立ちにくく、温水式床暖房フロアの外観が大きく損なわれることがない。
【００１６】
特に、この温水パイプユニットでは、上部カバーシートにおける床仕上材の実接合部分のみが、床仕上材の化粧面と同系色に着色されているので、請求項１にかかる発明の温水パイプユニットと同様に、その上部カバーシートの着色部分を目印にして床仕上材を敷設していけばよく、床仕上材の敷設作業性が向上するという効果が得られる。
【００１７】
【発明の実施の形態】
以下、実施の形態について図面を参照して説明する。図１（ａ）、（ｂ）に示すように、この温水式床暖房フロア１は、捨貼合板等からなる床下地１０と、この床下地１０の上に載置される温水パイプユニット２０と、床下地１０の上に載置された温水パイプユニット２０を覆うように床下地１０の上に敷設される床仕上材３０とから構成されている。
【００１８】
前記温水パイプユニット２０は、図１（ｂ）及び図２に示すように、架橋ポリエチレンによって形成された口径が５Ａの長尺の温水パイプ２１と、この温水パイプ２１が固着された基材シート２２とから構成されており、温水パイプ２１は、端末側で相互に繋がった往管２１ａ及び還管２１ｂからなる２組のパイプ群によって構成されている。
【００１９】
前記パイプ群は、図２に示すように、基材シート２２の幅方向に伸びる複数の直線部分と、パイプ群における隣接する直線部分を、基材シート２２の幅方向の両端部で交互に接続する複数のＵターン部分とを備えており、同図に一点鎖線で示すように、パイプ群における各Ｕターン部分、即ち、隣接する直線部分間に床仕上材３０の実接合部分が位置するように、所定のパイプパターンに整形されている。
【００２０】
前記基材シート２２は、厚さ５０μｍのアルミニウム箔が、厚さ２０μｍのポリプロピレンフィルムと目付が２３ｇ／ｍ２の紙間強化紙とによってラミネートされた３層ラミネートシートであり、所定のパイプパターンに整形された温水パイプ２１を完全に覆うことができる大きさを有していると共に、温水パイプ２１部分を避けるように、口径３８ｍｍ程度の多数の透孔２２ａが形成されている。
【００２１】
前記床仕上材３０は、図１（ｂ）及び図３に示すように、５プライ合板や３プライ合板等の木質板によって形成されたパネル基材３１と、このパネル基材３１の表面に貼着された突板等の表面化粧材３２とから構成されており、床仕上材３０の表面には、図３（ａ）に示すように、長手方向に伸びる３本の擬似溝３２ａと各擬似溝３２ａ間において短手方向に伸びる複数の擬似溝３２ｂとが形成されている。
【００２２】
また、床仕上材３０は、図５〜図９に示すように、温水パイプユニット２０が載置されていない部屋の周辺部分に敷設される周辺パネル３０ａと、部屋の中央部分に載置された温水パイプユニット２０を覆うように敷設される本体パネル３０ｂとから構成されており、図３（ｃ）に示すように、本体パネル３０ｂには、パネル基材３１の裏面に、上述した温水パイプユニット２０における温水パイプ２１を収容するための複数のパイプ収容溝３１ｃ、３１ｄが形成されているが、同図（ｂ）に示すように、周辺パネル３０ａには、パネル基材３１の裏面にパイプ収容溝が形成されていない。
【００２３】
また、床仕上材（周辺パネル３０ａ、本体パネル３０ｂ）３０には、そのパネル基材３１の端面に、床仕上材３０同士を相互に接合するための雄実３１ａ及び雌実３１ｂがそれぞれ形成されており、図３（ａ）に示すように、雄実３１ａは、その上面が表面化粧材３２の化粧面と同系色に着色されている。
【００２４】
また、床仕上材３０における雄実３１ａ及び雌実３１ｂの形成位置は、雄実３１ａの上面が、本体パネル３０ｂの裏面に形成されるパイプ収容溝３１ｃ、３１ｄの上端より１ｍｍ程度高くなるように設定されており、裏面にパイプ収容溝３１ｃ、３１ｄが形成された本体パネル３０ｂでは、図４（ａ）、（ｂ）に示すように、パイプ収容溝３１ｃ、３１ｄの形成部分において、雄実３１ａが完全に切除されることはなく、そのパイプ収容溝３１ｃ、３１ｄの上側に雄実３１ａの一部が残存した状態となっている。
【００２５】
以上のように構成された温水式床暖房フロア１の施工方法について、以下に説明する。まず、図５に示すように、床暖房フロアを施工しようとする部屋の一辺側から床下地１０の上に周辺パネル３０ａを敷設した後、図６に示すように、温水パイプユニット２０を床下地１０の所定位置に載置する。この場合、２組の温水パイプユニット２０が使用されている。
【００２６】
次に、図７に示すように、温水パイプユニット２０の一方の外側に周辺パネル３０ａを敷設した後、パイプ収容溝３１ｃ、３１ｄに温水パイプユニット２０の温水パイプ２１を嵌め込むようにして、温水パイプユニット２０の一端側に１枚目の本体パネル３０ｂを敷設すると、床下地１０の上に載置された温水パイプユニット２０が概ね位置決めされることになるので、各温水パイプユニット２０における温水パイプ２１の端部をそれぞれ床下地１０の下方側に引き落とし、床下でメインパイプに接続する。
【００２７】
続いて、図８に示すように、周辺パネル３０ａまたは本体パネル３０ｂを順次敷設していくことによって、温水パイプユニット２０を完全に覆った後、図９に示すように、温水パイプユニット２０の外側に周辺パネル３０ａを敷設すると、図１に示すような温水式床暖房フロア１が完成する。なお、図７〜図９においては、本体パネル３０ｂを交斜線で示している。
【００２８】
また、本体パネル３０ｂを敷設する際は、パイプ収容溝３１ｃ、３１ｄ部分を除いて、その裏面に接着剤が塗布されているので、この接着剤によって、本体パネル３０ｂと温水パイプユニット２０の基材シート２２とが相互に接着固定されると共に、基材シート２２の透孔２２ａ部分で、本体パネル３０ｂと床下地１０とが同時に接着固定される。
【００２９】
以上のように、この温水式床暖房フロア１に使用されている本体パネル３０ｂは、パイプ収容溝３１ｃ、３１ｄの形成部分において、そのパイプ収容溝３１ｃ、３１ｄの上側に雄実３１ａの一部が残存した状態となっているので、暖房運転に伴って本体パネル３０ｂが収縮することにより、図１０に示すように、温水パイプ２１が横断している本体パネル３０ｂ間の実接合部分に隙間Ｓが形成された場合でも、その隙間Ｓ部分に乳白色の温水パイプ２１が露出することがなく、しかも、その隙間Ｓ部分に露出している雄実３１ａの上面は表面化粧材３２の化粧面と同系色に着色されているので、本体パネル３０ｂ間の隙間Ｓが目立ちにくく、温水式床暖房フロア１の外観が大きく損なわれることがない。
【００３０】
なお、上述した実施形態では、パイプ収容溝３１ｃ、３１ｄの形成部分に雄実３１ａの一部が残存するような本体パネル３０ｂを使用することによって、本体パネル３０ｂ間に発生した隙間Ｓを目立ちにくくしているが、これに限定されるものではなく、図１１に示すように、パイプ収容溝３１ｃ、３１ｄの形成部分において、雄実３１ａが完全に切除された本体パネル３０ｃを使用する場合は、図１２に示す温水パイプユニット２０ａのように、温水パイプ２１における本体パネル３０ｃの実接合部分を、本体パネル３０ｃの化粧面と同系色に着色しておくと、図１３に示すように、温水パイプ２１が横断している本体パネル３０ｃ間の実接合部分に隙間Ｓが形成された場合でも、その隙間Ｓ部分には、本体パネル３０ｃの化粧面と同系色に着色された温水パイプ２１と、同様に本体パネル３０ｃの化粧面と同系色に着色された雄実３１ａの上面とが露出することになるので、本体パネル３０ｃ間の隙間Ｓが目立ちにくくなり、上述した実施形態の場合と同様に、温水式床暖房フロアの外観が大きく損なわれることがない。
【００３１】
また、この種の温水式床暖房フロアでは、床仕上材をずらし貼りするのが一般的であり、一種類の本体パネルで、ずらし貼りに対応することができるように、本体パネル３０ｃには、温水パイプ２１が収容されないパイプ収容溝３１ｃ、３１ｄも形成されている。従って、こういった本体パネル３０ｃでは、温水パイプ２１が収容されないパイプ収容溝３１ｃ、３１ｄの形成部分における雄実３１ａも切除されることになり、本体パネル３０ｃ間の実接合部分に隙間が形成された場合は、温水パイプ２１が収容されていないパイプ収容溝３１ｃ、３１ｄ部分に基材シート２２が露出することになるので、図１４に示す温水パイプユニット２０ｂのように、本体パネル３０ｃの実接合部分については、温水パイプ２１だけでなく、基材シート２２についても、本体パネル３０ｃの化粧面と同系色に着色しておくことが望ましい。なお、図１２〜図１４において、網掛け表示部分が着色領域を示している。
【００３２】
また、図１５（ａ）、（ｂ）に示すように、所定のパイプパターンに整形された温水パイプ２１を、上部カバーシート２３に形成されたパイプ収容部２３ａに収容した状態で、そのパイプ収容部２３ａを閉塞するように、上部カバーシート２３の裏面に基材シート２２を貼着した温水パイプユニット２０ｃを使用する場合は、同図に示すように、上部カバーシート２３における本体パネル３０ｃの実接合部分を、本体パネル３０ｃの化粧面と同系色に着色しておくと、図１６に示すように、温水パイプ２１が横断している本体パネル３０ｃ間の実接合部分に隙間Ｓが形成された場合でも、その隙間Ｓ部分には、本体パネル３０ｃの化粧面と同系色に着色された上部カバーシート２３と、同様に本体パネル３０ｃの化粧面と同系色に着色された雄実３１ａの上面とが露出することになるので、本体パネル３０ｃ間の隙間Ｓが目立ちにくくなり、上述した各実施形態と同様の効果を得ることができる。なお、上部カバーシート２３には、基材シート２２に形成された透孔２２ａに対応する位置に同径の透孔２３ｂが形成されている。また、図１５及び図１６において、網掛け表示部分が着色領域を示している。
【００３３】
また、温水パイプユニット２０ａ、２０ｂにおける温水パイプ２１や上部カバーシート２３を本体パネルの化粧面と同系色に着色する場合は、上述したように、温水パイプ２１や上部カバーシート２３における本体パネル３０ｃの実接合部分だけを着色するのではなく、温水パイプ２１や上部カバーシート２３の全表面を着色してもよい。ただし、本体パネル３０ｃの実接合部分だけを着色しておくと、その着色部分を目印にして本体パネル３０ｃを敷設することができるので、本体パネル３０ｃの敷設作業性が向上するという効果が得られる。
【図面の簡単な説明】
【図１】（ａ）はこの発明にかかる床仕上材（本体パネル）を使用した温水式床暖房フロアを示す断面図、（ｂ）は同上の温水式床暖房フロアを示す分解断面図である。
【図２】同上の温水式床暖房フロアに使用されている温水パイプユニットを示す平面図である。
【図３】（ａ）は同上の温水式床暖房フロアに使用される床仕上材（周辺パネル、本体パネル）を示す平面図、（ｂ）は同上の床仕上材（周辺パネル）を示す裏面図、（ｃ）は同上の床仕上材（本体パネル）を示す裏面図である。
【図４】（ａ）は同上の本体パネルを示す部分断面図、（ｂ）は同上の本体パネルにおける雄実部分を示す端面図である。
【図５】同上の温水式床暖房フロアの施工方法を示す工程図である。
【図６】同上の温水式床暖房フロアの施工方法を示す工程図である。
【図７】同上の温水式床暖房フロアの施工方法を示す工程図である。
【図８】同上の温水式床暖房フロアの施工方法を示す工程図である。
【図９】同上の温水式床暖房フロアの施工方法を示す工程図である。
【図１０】同上の温水式床暖房フロアにおいて、温水パイプが横断している本体パネル間の実接合部分に隙間が形成された状態を示す断面図である。
【図１１】この発明にかかる温水パイプユニットと共に使用される本体パネルを示す部分断面図である。
【図１２】この発明にかかる温水パイプユニットを示す部分拡大平面図である。
【図１３】同上の温水パイプユニットを使用した温水式床暖房フロアにおいて、温水パイプが横断している本体パネル間の実接合部分に隙間が形成された状態を示す断面図である。
【図１４】同上の温水パイプユニットの変形例を示す部分拡大平面図である。
【図１５】（ａ）は他の実施形態である温水パイプユニットを示す平面図、（ｂ）は同上の温水パイプユニットを示す断面図である。
【図１６】同上の温水パイプユニットを使用した温水式床暖房フロアにおいて、温水パイプが横断している本体パネル間の実接合部分に隙間が形成された状態を示す断面図である。
【図１７】（ａ）は背景技術としての温水式床暖房フロアを示す断面図、（ｂ）は同上の温水式床暖房フロアを示す分解断面図である。
【図１８】同上の温水式床暖房フロアにおいて、温水パイプが横断している床仕上材間の実接合部分に隙間が形成された状態を示す断面図である。
【図１９】同上の温水式床暖房フロアに使用されている床仕上材を示す部分断面図である。
【図２０】同上の温水式床暖房フロアにおいて、温水パイプが横断している床仕上材間の実接合部分に隙間が形成された状態を示す断面図である。
【符号の説明】
１  温水式床暖房フロア
１０  床下地
２０、２０ａ、２０ｂ、２０ｃ  温水パイプユニット
２１  温水パイプ
２２  基材シート
２３  上部カバーシート
２３ａ  パイプ収容部
３０  床仕上材
３０ａ  周辺パネル
３０ｂ、３０ｃ  本体パネル
３１  パネル基材
３１ａ  雄実
３１ｂ  雌実
３１ｃ、３１ｄ  パイプ収容溝
３２  表面化粧材
Ｓ  隙間
【図１】
0003996430.tif 000002
【図２】
0003996430.tif 000003
【図３】
0003996430.tif 000004
【図４】
0003996430.tif 000005
【図５】
0003996430.tif 000006
【図６】
0003996430.tif 000007
【図７】
0003996430.tif 000008
【図８】
0003996430.tif 000009
【図９】
0003996430.tif 000010
【図１０】
0003996430.tif 000011
【図１１】
0003996430.tif 000012
【図１２】
0003996430.tif 000013
【図１３】
0003996430.tif 000014
【図１４】
0003996430.tif 000015
【図１５】
0003996430.tif 000016
【図１６】
0003996430.tif 000017
【図１７】
0003996430.tif 000018
【図１８】
0003996430.tif 000019
【図１９】
0003996430.tif 000020
【図２０】
0003996430.tif 000021